(57)【要約】【課題】粘度の異なる複数種類の止水剤を用いて、ワイヤハーネスに容易かつ確実に線間止水構造を設ける。【解決手段】パネル貫通孔に装着するグロメット５０に挿通させるワイヤハーネスＷ／Ｈの止水方法であって、ワイヤハーネス組立時に線間止水を施す部位の電線群を隣接させて１列に並列させ、該並列させた電線群に低粘度止水剤３０を塗布した後、該低粘度止水剤３０を覆うように高粘度止水剤３１を塗布して、断面円形に丸めてグロメット５０の内部に通している。【選択図】  図７
2005051835.tif 000002
【特許請求の範囲】
【請求項１】
パネル貫通孔に装着するグロメットに挿通させるワイヤハーネスの止水方法であって、
ワイヤハーネス組立時に線間止水を施す部位の電線群を平行配線して垂直方向に並列させ、該並列させた電線群に低粘度止水剤を塗布した後、該低粘度止水剤を覆うように高粘度止水剤を塗布して、その後、断面円形に丸めてグロメットの内部に通すことを特徴とするワイヤハーネスの止水方法。
【請求項２】
上記高粘度止水剤の塗布する電線長さ方向の幅を、上記低粘度止水剤を塗布する電線長さ方向の幅よりも長くしている請求項１に記載のワイヤハーネスの止水方法。
【請求項３】
上記低粘度止水剤は１００ポイズ以下とすると共に、上記高粘度止水剤はペースト状剤とし、これら低粘度止水剤および高粘度止水剤はいずれも電線群の下端から上向きに塗布している請求項１または請求項２に記載のワイヤハーネスの止水方法。
【発明の詳細な説明】
【０００１】
【発明の属する技術分野】
本発明は、ワイヤハーネスの止水方法に関し、詳しくは、自動車のパネル貫通孔への装着用のグロメットに挿通させるワイヤハーネスの電線間の止水を図るものである。
【０００２】
【従来の技術】
自動車のエンジンルームから車室側へ配索されるワイヤハーネスにはグロメットを装着して、エンジンルームと車室とを仕切る車体パネルの貫通孔にグロメットを取り付けて、エンジンルーム側から車室への防水を図っている。
【０００３】
上記グロメットは小径筒部に拡径筒部を連続させ、該拡径筒部の外周面に係止部を設け、該係止部をパネル貫通孔の内周縁に係止し、グロメットとパネル貫通孔との間は確実にシールして止水を図る一方、拡径筒部の縮径側に延在させた小径筒部にワイヤハーネスを密着させて通し、浸水領域に配置するグロメットでは、止水剤を充填し防水性能を高めている。
【０００４】
本出願人は、特開平１０−１３５６５７号において、この種の防水方法を提供している。この防水方法は、ワイヤハーネス組立時に、防水する箇所の電線群を平行配線して１０００〜２０００ポイズの止水剤を塗布し、その後、断面円形に丸めてグロメットの内部に通している。
【０００５】
【特許文献１】
特開平１０−１３５６５７号公報
【０００６】
【発明が解決しようとする課題】
しかしながら、上記防水方法であると、１０００〜２０００ポイズの止水剤を使用しているため、止水剤の塗布時に電線間に止水剤を押し込んでやらなければならず、作業性が良くないという問題がある。
また、作業性を良くするために１０００ポイズよりも低粘度の止水剤を使用すると、止水剤がたれ落ちてしまうという問題がある。
さらに、ワイヤハーネスを上記防水方法により防水した後、完全に止水されているか否かを検査しなければならず、さらに生産性が低下するという問題がある。
【０００７】
本発明は上記問題に鑑みてなされたものであり、粘度の異なる複数種類の止水剤を用いて、ワイヤハーネスに容易かつ確実に線間止水構造を設けることを課題としている。
【０００８】
【課題を解決するための手段】
上記課題を解決するため、本発明は、パネル貫通孔に装着するグロメットに挿通させるワイヤハーネスの止水方法であって、
ワイヤハーネス組立時に線間止水を施す部位の電線群を平行配線して垂直方向に並列させ、該並列させた電線群に低粘度止水剤を塗布した後、該低粘度止水剤を覆うように高粘度止水剤を塗布して、その後、断面円形に丸めてグロメットの内部に通すことを特徴とするワイヤハーネスの止水方法を提供している。
【０００９】
上記構成とすると、低粘度止水剤を電線群に塗布した後、該低粘度止水剤を覆うように高粘度止水剤を塗布しているため、低粘度止水剤により電線間の隙間を埋め、高粘度止水剤により低粘度止水剤のたれ落ち及び電線の長さ方向への拡がりを防止することができる。これにより、電線間の隙間を低粘度止水剤により埋めて、確実に電線間を止水することができる。
【００１０】
上記高粘度止水剤を塗布する電線長さ方向の幅を、上記低粘度止水剤を塗布する電線長さ方向の幅よりも長くしていることが好ましい。
上記構成とすると、低粘度止水剤のたれ落ち及び電線の長さ方向への拡がりを高粘度止水剤により確実に防止することができる。
【００１１】
上記低粘度止水剤は１００ポイズ以下とすると共に、上記高粘度止水剤はペースト状剤とし、これら低粘度止水剤および高粘度止水剤はいずれも電線群の下端から上向きに塗布していることが好ましい。
低粘度止水剤を１００ポイズ以下とすると、低粘度止水剤が電線間へ流れることにより電線間の隙間にも確実に止水剤を充填することができ、その上からペースト状の高粘度止水剤を塗布すると、上記低粘度止水剤のたれ落ちを防いで電線間への低粘度止水剤の充填を維持することができる。
また、高粘度止水剤を電線群の下端から上向きに塗布していくと下方へたれ落ちようとする低粘度止水剤を上方へ押し戻しながら高粘度止水剤を塗布することができるため、低粘度止水剤のたれ落ちをさらに防ぐことができる。
【００１２】
【発明の実施の形態】
以下、本発明の実施の形態を図面を参照して説明する。
図１は、ワイヤハーネス組立用の布線台１０上に設置した止水用治具１１を示す。該止水用治具１１は、布線台１０上に着脱自在に取り付ける支持軸１２により支持され、ワイヤハーネスＷ／Ｈの電線ｗの布線方向に延在する基部１１ａから所要間隔をあけて一対の電線保持部１１ｂを突出している。
【００１３】
上記一対の電線保持部１１ｂは、電線ｗを上端開口１１ｂ−１から挿入させると共に、挿入した電線ｗを一列に並列させる細幅な電線挿入用溝１１ｂ−２を備え、上端開口１１ｂ−１の両面１１ｂ−３は先端を開き方向に傾斜させている。
【００１４】
図２は、電線ｗに高粘度止水剤３１を塗布する止水剤塗布装置２０の要部拡大図であり、該止水剤塗布装置２０は２本のノズル２１を備え、ノズル２１の下端をそれぞれ内方に屈曲させている。該屈曲側の先端に設けた開口２１ａから高粘度止水剤３１が押し出され、両ノズルの先端間に電線ｗを通すと、電線ｗに両側から高粘度止水剤３１が塗布される。
なお、両ノズル先端の間隔Ｌは適宜設定可能であり、止水剤を塗布する電線の径に合わせている。
【００１５】
次に、上記止水用治具１１を用いたワイヤハーネスの止水方法について説明する。
先ず、ワイヤハーネス組立時に、布線台１０上に電線ｗを布線する。ワイヤハーネスのグロメットを取り付ける部位には、止水用治具１１を配置しており、一対の電線保持部１１ｂ間に電線ｗを挿入する。このとき、図３に示すように、電線ｗは電線保持部１１ｂの電線挿入用溝１１ｂ−２に垂直方向に１本ずつ整列した状態で配置される。
【００１６】
次いで、図４に示すように、一対の電線保持部１１ｂ間に配置された電線ｗにヘラ４０により電線群の下端から上向きに１００ポイズ以下の低粘度止水剤３０を塗布する。低粘度止水剤３０の塗布は、図５（Ａ）に示すように、垂直方向に並列させた電線群に所要幅Ｈ１で塗布し、かつ、図５（Ｂ）に示すように、電線ｗ間の隙間を埋めるように塗布している。
次いで、図６に示すように、止水剤塗布装置２０のノズル２１先端を垂直方向に並列させた下端の電線ｗに両側から押し当て、ノズル２１の開口２１ａからペースト状の高粘度止水剤３１を押し出しながらノズル２１を上方へ移動させ、電線ｗの両面に高粘度止水剤３１を塗布する。高粘度止水剤３１の塗布は、図７（Ａ）及び（Ｂ）に示すように、低粘度止水剤３０を覆うように所要幅Ｈ２（Ｈ２＞Ｈ１）で塗布している。
【００１７】
最後に、図８（Ａ）に示すように、電線ｗの表面に塩ビ製等の薄いフィルムＦを被せ、該フィルムＦ内で低粘度止水剤３０と高粘度止水剤３１を塗布した止水部を丸めて、テープＴを巻き付けて固定し、グロメット５０の筒部内に挿通して、図８（Ｂ）に示すように、小径筒部５０ａの内周面に電線ｗの止水部を密着させている。
【００１８】
上記構成とすると、低粘度止水剤３０を垂直方向に並列させた電線ｗに塗布した後、低粘度止水剤３０を覆うように高粘度止水剤３１を塗布しているため、低粘度止水剤３０により電線ｗ間の隙間を埋め、高粘度止水剤３１により低粘度止水剤３０のたれ落ち及び電線の長さ方向への拡がりを防止することができる。これにより、電線ｗ間の隙間を低粘度止水剤３０により埋めて、確実に電線間を止水することができる。
また、電線間の止水を確実にすることができるため、従来行っていた止水検査が不要となり、生産性を高めることができる。
【００１９】
【発明の効果】
以上の説明より明らかなように、本発明によれば、低粘度止水剤を電線群に塗布した後、該低粘度止水剤を覆うように高粘度止水剤を塗布することにより、低粘度止水剤により電線間の隙間を埋め、高粘度止水剤により低粘度止水剤のたれ落ち及び電線の長さ方向への拡がりを防止することができるため、電線間の隙間を低粘度止水剤により埋めて、確実に電線間を止水することができる。
また、電線間の止水を確実にすることができるため、従来行っていた止水検査が不要となり、生産性を高めることができる。
【図面の簡単な説明】
【図１】実施形態の止水用治具を示す斜視図である。
【図２】止水剤塗布装置の要部拡大斜視図である。
【図３】止水用治具に電線を配置した状態を示す斜視図である。
【図４】低粘度止水剤の塗布方法を示す図面である。
【図５】（Ａ）は電線に低粘度止水剤を塗布した状態を示す正面図、（Ｂ）はＩ１−Ｉ１線断面図である。
【図６】高粘度止水剤の塗布方法を示す図面である。
【図７】（Ａ）は電線に高粘度止水剤を塗布した状態を示す正面図、（Ｂ）はＩ２−Ｉ２線断面図である。
【図８】（Ａ）は電線を丸めた状態を示す断面図、（Ｂ）電線にグロメットを取り付けた状態を示す図面である。
【符号の説明】
１０  布線台
１１  布線用治具
１１ｂ  電線保持部
１１ｂ−２  電線挿入用溝
２０  止水剤塗布装置
２１  ノズル
３０  低粘度止水剤
３１  高粘度止水剤
５０  グロメット
Ｆ  フィルム
Ｔ  テープ
ｗ  電線
【図１】
2005051835.tif 000003
【図２】
2005051835.tif 000004
【図３】
2005051835.tif 000005
【図４】
2005051835.tif 000006
【図５】
2005051835.tif 000007
【図６】
2005051835.tif 000008
【図７】
2005051835.tif 000009
【図８】
2005051835.tif 000010